(57)【要約】      （修正有）【課題】遊技者の疲労感を軽減すると同時に、直立に近い状態で安定して保持できる等の弾球遊技機を提供する。【解決手段】パチンコ機１の発射ハンドル９の下方において上下に角度調節可能な手載せ台３０を設け、更に外枠２の後方に支持部材６０を着脱可能に設ける。ハンドル操作する遊技者の手を手載せ台の上面で支持し、搬入や移動の際には手載せ台と支持部材で遊技機本体を安定して保持することで、作業時の取り扱いをも容易にする。【選択図】図５
2008245700.tif 000002
【特許請求の範囲】
【請求項１】
外枠と、該外枠に対して開閉可能に支持される前枠と、遊技球を発射する操作をするための発射ハンドルと、該発射ハンドルの下方に位置し前記外枠から前方に突出する手載せ台とを備えてなる弾球遊技機であって、
前記手載せ台は、前記外枠の下端部でヒンジを介して上下に回動可能に取り付けられ、
前記手載せ台の回動位置を任意の角度に調節する角度調節手段を更に備えていることを特徴とする弾球遊技機。
【請求項２】
前記角度調節手段は、前記外枠の後方から螺入され前記手載せ台の背面に当接するネジを備えてなることを特徴とする請求項１に記載の弾球遊技機。
【請求項３】
前記外枠から後方へ延びる支持部材が当該外枠の下端部に着脱可能に設けられていることを特徴とする弾球遊技機。
【発明の詳細な説明】
【技術分野】
【０００１】
本発明は前面部に遊技者が遊技盤に遊技球を発射させる操作をするための発射ハンドルが備えられる弾球遊技機に関する。
【背景技術】
【０００２】
一般に、弾球遊技機のひとつであるパチンコ機は、矩形枠状の外枠と、この外枠に上下のヒンジ機構を介して開閉可能に装着される前枠とを備えており、遊技者が遊技盤に遊技球を発射させる操作をする発射ハンドルが前面部に設けられている。通常、パチンコ機は遊技店舗の設置台にいわゆる四分五厘（約１度）後方に傾斜させた状態で設置される。遊技者は、このパチンコ機の前に座り、片手で発射ハンドルを握り通常右方向に回転操作することで電動式の発射装置が調整され、遊技球が任意の強さで発射される。
【０００３】
ところで、従来のパチンコ機においては、本体の奥行き幅に対して高さ寸法が大きく設定されているため、不安定で倒れやすく、特に搬入や移動の際の取り扱いが容易ではなかった。そこで、外枠の後面側上部に回動可能なスタンドを取り付けることにより、パチンコ機を後面方向に傾斜させた状態で安定して保持できるようにする提案がなされている（例えば特許文献１参照）。また、遊技者がハンドル操作の姿勢を長時間続けると首、肩、手などが疲労する場合が多く、このため、遊技者によっては、集中力が低下し、遊技を充分に楽しめないといった課題があった。これに対し、遊技者の手を置くための手置き部を備えることで、長時間に亘ってハンドル操作をする遊技者が快適に遊技を継続できるようにする遊技機の提案もなされている（例えば特許文献２参照）。
【０００４】
【特許文献１】特開２００６−１０２０７３号公報
【特許文献２】特開２００２−１７７４９１号公報
【発明の開示】
【発明が解決しようとする課題】
【０００５】
しかし、上述した特許文献１に記載のスタンド部を設けた遊技機によれば、前方への転倒を防止できず、また直立に近い状態で安定保持することができない等の課題があった。
また、特許文献２に記載の手載せ台を設けた遊技機によれば、遊技者の遊技を補助することはできるものの、直立に近い状態で安定して設置できるものではなかった。また、手載せ台は前枠に一体形成される構成となっているため、前枠を開閉して作業する際に周辺に接触してしまう等の課題もあった。
【０００６】
本発明は、こうした従来の課題に鑑みてなされたものであり、遊技者の疲労感を軽減し十分に遊技を楽しめるようにできるとともに、直立に近い状態で安定して保持できる等の弾球遊技機を提供することを目的としている。
【課題を解決するための手段】
【０００７】
上述した課題を解決するためになされた請求項１に記載の発明は、外枠と、該外枠に対して開閉可能に支持される前枠と、遊技球を発射する操作をするための発射ハンドルと、該発射ハンドルの下方に位置し前記外枠から前方に突出する手載せ台とを備えてなる弾球遊技機であって、前記手載せ台は、前記外枠の下端部でヒンジを介して上下に回動可能に取り付けられ、前記手載せ台の回動位置を任意の角度に調節する角度調節手段を更に備えていることを特徴とする弾球遊技機。
【０００８】
請求項１に記載の弾球遊技機によれば、発射ハンドルの下方に手載せ台を設けることで、遊技者が手を手載せ台に載せて楽に球発射操作ができ、疲労を軽減することができる。また、遊技機本体は、角度調節手段により角度調節される手載せ台に支持されるため、直立に近い任意の角度に安定して保持することができる。これにより、遊技機本体の搬入、設置、移動等の際の取り扱いを容易にすることができる。
【０００９】
請求項２に記載の発明は、前記角度調節手段は、前記外枠の後方から螺入され前記手載せ台の背面に当接するネジを備えてなることを特徴とする請求項１に記載の弾球遊技機。
【００１０】
請求項２に記載の弾球遊技機によれば、外枠の後方から螺入されるネジの突出量を適宜に調節することで、手載せ台の回動位置の調節が可能となる。したがって、手載せ台の角度調節を簡素な構成で実現することができる。
【００１１】
請求項３に記載の発明は、前記外枠から後方へ延びる支持部材が当該外枠の下端部に着脱可能に設けられていることを特徴とする弾球遊技機。
請求項３に記載の弾球遊技機によれば、支持部材を外枠の下端部に装着することで、例えば遊技店舗の設置台に固定しなくても四分五厘後方に安定して保持することができる。また、必要に応じて支持部材を脱着して遊技機本体を設置台に設置することもできる。
【発明の効果】
【００１２】
上述したように、本発明に係る弾球遊技機によれば、発射ハンドルの下方に突出形成した手載せ台により、遊技者の疲労軽減し長時間に亘って快適に遊技を楽しめるようにすることができる。
また、角度調節される手載せ台により、前後方向において任意の角度に遊技機本体を安定して保持できる。したがって、搬入、移動等の際の取り扱いを容易にすることもできる。
【発明を実施するための最良の形態】
【００１３】
以下、本発明に係る弾球遊技機の実施形態として、遊技店舗に設置されるパチンコ機１を説明する。ここで、図１はパチンコ機１の正面図、図２はその側面図、図３はその外観斜視図である。
【００１４】
パチンコ機１は、遊技者が発射ハンドル９を回転操作して遊技球発射装置９ａを作動させ、遊技球を遊技盤７の遊技領域７ａに打ち出しつつ遊技を行うものである。例えば始動チャッカー（始動入賞口、抽選入賞口）に遊技球が入賞することで、アタッカー（大入賞口）の開閉に関する抽選を行い、この抽選の結果が当選状態、いわゆる大当たりが発生した状態でアタッカーに入球した遊技球に対応する数の遊技球を払い出すように構成されている。この大当たりには、抽選の結果に基づいて選択される「通常大当たり」や「確率変動大当たり」などの種類があり、例えば確率変動大当たりの際には、上述の始動チャッカーに入賞した際の抽選における大当たりの確立が高くなるとともに、次に大当たりを引くまでの間、遊技者に有利な付加価値を付与し得る特殊状態となる。
【００１５】
図１に示すように、パチンコ機１は、合成木板からなり開口部を有する矩形枠状の外枠２と、この外枠２に上下のヒンジ機構２６ａ、２６ｂを介して開閉可能に装着された前枠３とを備えており、前枠３の前面には、透明ガラス６を有するガラス枠５が開閉可能に取付けられている。透明ガラス６の奥側には遊技盤７が配置されており、ガラス枠５の上部における左側及び右側には、それぞれ演出用照明装置１０が配置されている。前枠３の下部には、スピーカ（図示せず）を有する放音装置８が配置されている。
【００１６】
前枠３における下部中央、すなわちガラス枠５の下方中央には、遊技球の受皿１３ａを有する上皿ユニット１３と、遊技球の受皿１５ａを有する下皿ユニット１５とが上下二段に設けられている。上皿ユニット１３における左上部には、賞球及び貸球を含む遊技球が供給される球供給口１８が設けられ、また上皿ユニット１３における右上部壁面には、球貸ボタン１４ａ及びプリペイドカード返却ボタン１４ｂが設けられている。
【００１７】
球供給口１８の奥側には、上段の受皿１３ａに遊技球が満たされている場合に溢れた遊技球を、下段の下皿ユニット１５の受皿１５ａに開口した球排出口１９へ導く導通路（図示せず）が設けられている。上段の受皿１３ａで溢れた遊技球は、この導通路を経由して球排出口１９から下段の受皿１５ａに排出される。また、下皿ユニット１５には、レバー２０が設けられており、このレバー２０を横方向にスライドすると、受皿１５ａの底部分にあるスライド板２１が開いて、受皿１５ａ内の遊技球が下方に排出される。
【００１８】
前枠３における下皿ユニット１５の右側には、遊技者の操作に基づき遊技球発射装置９ａに指令信号を出力する発射ハンドル９と、この発射ハンドル９の奥側に、遊技球を遊技盤７の遊技領域７ａに向けて打ち出す遊技球発射装置９ａとが設けられている。また、下皿ユニット１５の左側には、灰皿２４が配置されている。
【００１９】
上述の遊技盤７に形成される遊技領域７ａの中央部には、遊技球ステージ（図示せず）及びこのステージからの遊技球を下方の始動チャッカー（図示せず）に入賞させるための球放出口（図示せず）を有するセンター飾り（図示せず）が配置され、センター飾りの中央部に形成された矩形状の開口には、遊技盤７裏面側に配置された図柄表示装置（図示せず）が露出している。また、センター飾りにおける球放出口のやや下方には、大当たり抽選実行の契機となり得る入球が行われる上述の始動チャッカーが配設されている。また、遊技領域７ａには、センター飾りの左方及び右方にそれぞれ風車（図示せず）が回動自在に取り付けられている。この風車は、遊技領域７ａを流下してきた遊技球が当たることで左又は右回転し、遊技球の進路を変更するものである。遊技領域７ａには、センター飾り、始動チャッカー、風車の外に、多数の障害釘（図示せず）が設けられている。
【００２０】
次に、本発明に係る遊技機の実施形態を説明する。ここで、図４は、手載せ台３０の断面図、図５は手載せ台３０を斜め前方から見た斜視図、図６は前枠３を開いた状態を示す図、図７は前枠３が外枠２に収容されている状態を示す図である。
【００２１】
これらの図に示されるように、パチンコ機の前面部に設けられた発射ハンドル９の下方には、主に遊技者がハンドル操作（球発射操作）する腕または手を載せるための手載せ台３０が形成されている。手載せ台３０は、上面３２が前方に向けて若干下方に傾斜する略切頭角錐状の外観形状を有しており、遊技者の手や腕を傾斜する上面３２で支持することで、ハンドル操作を楽にしている。なお、手載せ台３０の上面３２における少なくとも遊技者の手が接触する部位は、例えば弾性変形可能な軟質材料によって形成されていることが望ましい。
【００２２】
また、手載せ台３０は、その背面３１の下端部と外枠２の前面部２ａの下端部とがヒンジ４０を介して連結されることで、外枠２に対し上下方向に回動自在となっている。主に図４に示されるように、手載せ台３０の背面３１が若干の傾斜を有して形成されているため、上方（手載せ台３０と外枠２とが接近する側）への回動範囲が隙間３３の量だけ拡大されている。
【００２３】
これにより、パチンコ機１の本体を立てた状態で若干前方に傾けると、外枠２の前面部２ａと手載せ台３０の背面３１が当接し、前方に変位した本体の重心位置が手載せ台３０に支持されるため、パチンコ機１の本体が安定して保持されることとなる。したがって、例えばパチンコ機１の運搬や移動の際においても概ね直立させた状態で取り扱うことができ、これらの作業性が向上する。
【００２４】
また、外枠２の後方からネジ５１が螺入され、螺入されたネジ５１の先端部が手載せ台３０の背面３１に当接して手載せ台３０の回動を規制する、角度調節手段５０が形成されている。すなわち、ネジ５１の先端部の突出量を適宜に調節することで手載せ台３０の回動角度が調節され、これにより角度調節手段５０を簡素な構成で実現することができる。
【００２５】
また、外枠２の後面部２ｂの下端位置には、棒状の支持部材６０が略水平方向に嵌入され着脱可能とするための孔６１が設けられている。すなわち、支持部材６０は、棒状の支持部６２と、支持部６２と同軸上に突出形成される嵌合部６３とを有している。
【００２６】
すなわち、支持部材６０が孔６１に嵌入されることにより、パチンコ機１の本体が後方に倒れるのを防ぎ、より一層安定して保持することができるようになる。これにより、遊技島の設置台に固定しなくても、パチンコ機１を例えば四分五厘後方に傾斜させて設置でき、遊技者は個人的にもパチンコホールと同様にゲームを楽しむことができる。また、必要に応じて支持部材６０を外枠２から脱着させることで、パチンコ機１を遊技島の設置台に設置できるようにする。
【００２７】
なお、図６〜７に示されるように、前枠３の背面側下方位置には、ローラ部７０が回転自在に軸支されている。ローラ部７０は、前枠３を外枠２側に閉じる際に手載せ台３０の上面３２を転動することで、所定の閉塞位置に精度良く案内する。また、前枠３が開閉される際にその重量を手載せ台３０に分散して、ヒンジ機構２６ａ、２６ｂにかかる負担を軽減する作用もある。
【００２８】
以上説明したように、本実施形態のパチンコ機１によれば、遊技者が球発射操作（ハンドル操作）する手を載せることができる手載せ台３０を発射ハンドルの９の下方に設けたので、遊技者の手の負担を軽減し操作を楽にすることができる。また、手載せ台３０は外枠２側に設けられるため、前枠３やガラス枠５を開閉する際においても周囲に接触することがなく、メンテナンス等の作業性が維持される。
【００２９】
また、角度調節手段５０により回動角度が調節される手載せ台３０と、支持部材６０とにより、パチンコ機１の本体を直立に近い状態で任意の角度で安定して保持することができる。したがって、概ね直立させた状態で容易に取り扱うことができ、搬入や移動などの際の作業性が向上する。
【図面の簡単な説明】
【００３０】
【図１】本発明に係る弾球遊技機の一つの実施形態パチンコ機の正面図である。
【図２】図１に示したパチンコ機の側面図である。
【図３】図１に示したパチンコ機の斜視図である。
【図４】図１に示したパチンコ機の下方部の断面図であり、主に手載せ台の一つの実施形態を表している図である。
【図５】図１に示したパチンコ機の下方部の斜視図であり、主に手載せ台の一つの実施形態を表している図である。
【図６】図１に示したパチンコ機の下方部の側面図であり、前枠を開いた状態を表している図である。
【図７】図１に示したパチンコ機の下方部の側面図であり、前枠を閉塞した状態を表している図である。
【符号の説明】
【００３１】
１・・・パチンコ機                          ２・・・外枠
２ａ・・・前面部                            ２ｂ・・・後面部
３・・・前枠                                ５・・・ガラス枠
６・・・透明ガラス                          ７・・・遊技盤
７ａ・・・遊技領域                          ８・・・放音装置
９・・・発射ハンドル                        ９ａ・・・遊技球発射装置
１０・・・演出用照明装置                    １３・・・上皿ユニット
１３ａ・・・受皿                            １４ａ・・・球貸ボタン
１４ｂ・・・プリペイドカード返却ボタン      １５・・・下皿ユニット
１５ａ・・・受皿                            １８・・・球供給口
１９・・・球排出口                          ２０・・・レバー
２１・・・スライド板                        ２４・・・灰皿
２６ａ・・・ヒンジ機構                      ３０・・・手載せ台
３１・・・背面                              ３２・・・上面
３３・・・隙間                              ４０・・・ヒンジ
５０・・・角度調節手段                      ５１・・・ネジ
６０・・・支持部材                          ６１・・・孔
６２・・・支持部                            ６３・・・嵌合部
７０・・・ローラ部
【図１】
2008245700.tif 000003
【図２】
2008245700.tif 000004
【図３】
2008245700.tif 000005
【図４】
2008245700.tif 000006
【図５】
2008245700.tif 000007
【図６】
2008245700.tif 000008
【図７】
2008245700.tif 000009